(57)【要約】  塗布装置（１００）またはディスペンサーのリザーバ（１０２）から製品の送出および／または塗布を提供する。リザーバ（１０２）内に配置された供給器が、この供給器をリザーバ（１０２）内の第１の位置から第２の位置に前進させたときに製品をリザーバ（１０２）の第２の端部から放出する。塗布器（１０８）がリザーバ（１０２）から放出された製品を塗布するためにリザーバ（１０２）に結合され得る。
2014532486.tif 000002
【特許請求の範囲】
【請求項１】
製品を包含するように構成されたリザーバと、
前記リザーバの第１の端部に結合されたエンドキャップであって、前記製品が前記リザーバの前記第１の端部から漏れるのを防ぐための、エンドキャップと、
前記リザーバ内に配置された供給スクリューであって、この供給スクリューが回転されると前記リザーバの第２の端部から前記製品を放出するように構成された供給スクリューと、
前記リザーバから放出された前記製品を塗布するために前記リザーバの前記第２の端部に結合された塗布器と、
を備える塗布装置。
【請求項２】
前記供給スクリューに結合されたダイヤルを更に備え、前記ダイヤルはこのダイヤルが回転されると前記供給スクリューを回転させるように構成された、請求項１に記載の塗布装置。
【請求項３】
前記供給スクリューの一部分が前記エンドキャップを通して突出し、前記ダイヤルに結合する、請求項２に記載の塗布装置。
【請求項４】
前記ダイヤルに結合されたクリック止めを更に備え、このクリック止めは前記ダイヤルが回転されたときにユーザにフィードバックを提供するように構成されており、前記フィードバックは、視覚的フィードバック、触覚的フィードバック、および聴覚的フィードバックの少なくとも一つを含む、請求項２に記載の塗布装置。
【請求項５】
前記クリック止めがバネ要素により前記ダイヤルの面に押圧され、前記クリック止めの突起が前記ダイヤルの前記面のくぼみに係合する、請求項４に記載の塗布装置。
【請求項６】
前記ダイヤルおよび前記クリック止めが前記供給スクリューの回転を制御するように動作する、請求項４に記載の塗布装置。
【請求項７】
前記塗布器を前記リザーバの前記第２の端部に結合するように構成された塗布器保持具を更に備え、この塗布器保持具は前記製品を吐出するために前記リザーバからの出口を提供する、請求項１に記載の塗布装置。
【請求項８】
前記塗布器保持具が、略テーパー状円錐構成を有する内面を有する、請求項７に記載の塗布装置。
【請求項９】
前記リザーバの内部が略円筒形状である、請求項１に記載の塗布装置。
【請求項１０】
前記リザーバが前記第１の端部から充填されるように構成され、前記リザーバが充填された後に前記エンドキャップが前記リザーバに結合される、請求項１に記載の塗布装置。
【請求項１１】
前記供給スクリューが螺旋部材を備える、請求項１に記載の塗布装置。
【請求項１２】
前記螺旋部材が螺旋状スクリューブレードおよびシャフトを有する、請求項１１に記載の塗布装置。
【請求項１３】
前記供給スクリューが略螺旋形状であり、前記供給スクリューの周囲の少なくとも一部分が、前記リザーバの内面の少なくとも一部分と嵌合するように構成された略平面を備える、請求項１に記載の塗布装置。
【請求項１４】
前記供給スクリューは一端または両端でテーパーしており、前記供給スクリューの周囲寸法が供給スクリューの前記一端または両端に向かって概して小さくなる、請求項１に記載の塗布装置。
【請求項１５】
前記供給スクリューのシャフトが一または複数の切り欠きを有し、前記ダイヤルおよび前記クリック止めの少なくとも一つが、前記供給スクリューの前記シャフトの前記一または複数の切り欠きと係合するように一または複数のタブを有し、これにより前記供給スクリューの前記シャフトと、前記ダイヤルおよび前記クリック止めの前記少なくとも一つとが共に回転するようになされている、請求項４に記載の塗布装置。
【請求項１６】
前記塗布器が、ブラシ、綿棒、ノズル、点滴器、棒、およびパッドのうち少なくとも一つを備える、請求項１に記載の塗布装置。
【請求項１７】
前記塗布器が、前記リザーバにアクセスする一または複数の開口部を有し、この一または複数の開口部が前記リザーバから前記製品を放出するように構成された、請求項１に記載の塗布装置。
【請求項１８】
前記塗布器が、塗布器保持具、送出管、またはノズルのうち一つに結合された、請求項１に記載の塗布装置。
【請求項１９】
前記塗布器が使用されていないときにこの塗布器を閉じ込めるように構成された取り外し可能な保護カバーを更に備える、請求項１に記載の塗布装置。
【請求項２０】
製品を包含するように構成されたリザーバであって、前記製品が前記リザーバの前記第１の端部から漏れるのを防ぐために第１の端部で密閉された、リザーバと、
前記リザーバ内に配置された供給器であって、前記供給器を前記リザーバ内の第１の位置から第２の位置に前進させたときに前記製品を前記リザーバの第２の端部から放出するように構成された、供給器と、
前記リザーバの前記第２の端部に結合されたノズルであって、前記製品が前記リザーバから放出される経路を提供する、ノズルと、
前記リザーバから放出された前記製品を塗布するために前記ノズルに結合された塗布器と、
を備えるディスペンサー。
【発明の詳細な説明】
【技術分野】
【０００１】
（背景技術）
化粧用ファンデーションまたは着色料等のために使用される化粧料は、一般に圧縮された粉末かルーズな（緩い）粉末として提供される。ルーズな材料（ルーズな粉末を含む）は化粧用途のために一般的であり、これはルーズな材料が人間の皮膚等の表面でのこの材料の望ましい被覆をなすことが多いという事実に一部基づくことによるものである。このルーズな材料は、無数の構成の様々な種類の容器において提供され得る。
【０００２】
一般的な容器の構成は、開いた容器か、穴の開いた表面もしくはふるいを備える容器を有し、これにより粉末が穴から振り出され、そしてこの粉末が塗布器（アプリケーター）に置かれ得る。これらの構成は、ルーズな材料が操作中にこぼれる傾向があるという点で問題となり得る。その結果、これらの容器のいくつかは無駄になり易い。加えて、塗布器は必要なときに不適切な位置に置かれるか使用可能ではないことがある。更に、ルーズな材料の所望の量を量り分けることは多くの種類の容器において非常に困難となり得、これは、十分な量の製品が塗布器にない場合や、特定の用途に対して多すぎる量の製品が塗布器に置かれる場合があることを意味する。
【発明の概要】
【０００３】
本開示は、とりわけ粉末化粧品または粉末状化粧品（以下、単に製品）を保持および吐出するために使用可能な塗布装置またはディスペンサーに関する。一実施態様によると、開示される塗布装置は、粉末化粧品または粉末状化粧品といった製品を包含するように構成されたリザーバを有し、リザーバの第１の端部は製品がリザーバから漏れないように密閉されている。一実施形態において、エンドキャップはリザーバの第１の端部に結合される。供給器がリザーバ内に配置され、この供給器をリザーバ内の第１の位置から第２の位置に前進させたときに製品がリザーバの第２の端部から放出されるように構成されている。一実施形態において、この供給器は供給スクリューであり、この供給スクリューが回転されるときに製品がリザーバの第２の端部から放出される。塗布器はリザーバから放出された製品を塗布するためにリザーバの第２の端部に結合されている。
【０００４】
一実施形態は、リザーバの第２の端部に結合された塗布器保持具またはノズルであって、前記製品が前記リザーバから放出される経路を提供する、塗布器保持具またはノズルも有する。一実施形態において、塗布器保持具は塗布器（ブラシ、スポンジなど）を塗布装置に固定し、製品を塗布器に送達する管として機能する。更なる実施形態は、リザーバ内で供給装置の前進の制御を助け、および／または操作中にユーザにフィードバックを提供する、供給装置および／またはフィードバック装置に結合された一または複数のアクチュエータを有する。
【０００５】
別の実施態様によると、塗布装置は、この塗布装置の底部（すなわち第１の端部）から充填されるように構成される。係る実施態様において、塗布装置を充填した後にエンドキャップがこの塗布装置の底部を密閉するために使用され得る。
【図面の簡単な説明】
【０００６】
添付の図面を参照して詳細な説明を記載する。図面において、符号の最も左の桁は、その符号が最初に表れる図面の番号を表している。異なる図面において同一の符号は類似または同一のものを指している。
【０００７】
【図１】図１は、例示的な塗布装置の斜視図および分解図を含み、本開示による技術および装置が具現されているものである。
【０００８】
【図２】図２は、図１において具現された例示的な塗布装置の平面図および輪郭図を含む。この図は、側面図、上面図、および底面図を含む。
【０００９】
【図３】図３は、図１において具現された例示的な塗布装置の断面輪郭図であり、図２における線３−３で切り取ったものである。
【００１０】
【図４】図４は、図３の例示的な塗布装置の拡大された詳細を示す２つの断面図であり、これらは図２の線３−３に沿って切り取った断面図である。
【００１１】
【図５】図５は、一実施形態による例示的な供給器の斜視図である。図示された実施形態において、この供給器はテーパーした螺旋部材の構成を有する供給スクリューを備える。
【００１２】
【図６】図６は、様々な実施形態による塗布装置において具現され得るいくつかの例示的な塗布器を示す。
【００１３】
【図７】図７は、一実施形態による例示的なクリック止めおよび例示的なダイヤルの詳細を示す斜視図である。
【００１４】
【図８】図８は、一実施形態による例示的な塗布器保持具の断面輪郭図であり、内部の詳細を示すものである。
【発明を実施するための形態】
【００１５】
概要
代表的な実施態様の装置および技術は、塗布装置またはディスペンサーのリザーバから製品を送出および／または塗布するものである。一実施態様によると、リザーバ内に配置された供給器は、この供給器をリザーバ内の第１の位置から第２の位置に前進させたときに製品をリザーバから放出する。加えて、リザーバから放出された製品を塗布するために塗布器がリザーバに結合され得る。
【００１６】
様々な実施態様の塗布装置および技術を本開示において記載する。この塗布装置および技術は図面に記載された例示的な実施態様を参照して記載される。本願において記載された塗布装置、ディスペンサー、および技術は、記載および説明を容易にするために化粧品（化粧用ファンデーションまたは着色料等のために使用されるもの）の分野に関して記載される。これらの塗布装置、ディスペンサー、および／または技術は、他の分野、他の環境、他の実施態様、および他の製品およびシステム等に関しても使用されることができ、様々な製品（例えば、薬剤、健康製品、栄養補給剤、接着剤、潤滑剤、溶剤、塗料など）の塗布、送出・吐出、および／または送達を提供する。
【００１７】
更に、例示的な実施態様の塗布装置、ディスペンサー、および技術は、やはり説明を容易にするために粉末または粉末状製品に関して記載される。本願に記載される装置および技術は、他の様々な固体、半固体、または液体の形態を有する製品にも適用可能であり、なお本開示の範囲内である。
【００１８】
実施態様を以下に複数の例を用いて詳細に説明する。様々な実施態様および例が以下に記載されるが、更なる実施態様および例も個々の実施態様および例の特徴および要素を組み合わせることによって可能である。
【００１９】
例示的な実施形態
まず、塗布装置の例示的な実施形態を図１〜４を参照して説明する。図１は、例示的な塗布装置１００の斜視図および分解図を含んでおり、そこでは本開示による技術および装置が具現されている。図２は、図１において具現された例示的な塗布装置の平面図および輪郭図である。これらの図は、側面図、上面図および底面図を含む。図３は、図１で具現された例示的な塗布装置の断面輪郭図であり、図２の線３−３に沿って切り取られたものである。図４は、２つの断面図（Ａ）および（Ｂ）を含み、図３の例示的な塗布装置の頂部すなわち塗布器側端部（Ａ）および後端すなわちエンドキャップ側端部（Ｂ）の拡大詳細図であって、図２の線３−３に沿って切り取られた断面図を示す。
【００２０】
本開示において、塗布装置およびディスペンサーという用語は同じように用いられ、製品を分配（例えば、塗布、吐出、分配、送出など）するための装置を意味すると理解されるべきである。一般に製品はローカルリザーバ（例えば、容器，チャンバ，キャビティ，コンパートメント，ストレージ（貯蔵室），セル（室）など）に保存されるが、実施形態によっては離れた貯蔵場所も含まれる。本願において記載された技術および／または装置は図示された塗布装置１００の一部、または別のシステムの附属品もしくは別のシステムの一部として具現され得ると理解されるべきである（例えばより大きいかより複雑な製品送出システムなどの一部として）。
【００２１】
図１〜４に示すように、例示的な塗布装置１００は数多くの部品を含み得る。いくつかの実施形態において、これらの部品は、ネジ式カップリング、プレス嵌めカップリング、リブ・溝カップリング、スナップ式カップリングなどを含む、様々な技術を用いて互いに結合され得る。更に、いくつかの態様において、これらの部品うち２以上が互いに接着されてもよく、あるいは永久に固定されるように同様の手法で互いに固定されてもよい。他の態様においては、部品が所望のように一時的に固定されるか取り外し可能であるように構成されてもよい。更に、後述するように、いくつかの部品は他の部品に対して少なくともある程度の自由な動きを有して構成されてもよい。
【００２２】
一実施形態において、塗布装置１００は製品を包含するように構成されたリザーバ１０２を有する。このリザーバ１０２は、製品の望ましい分配以外はこの製品がリザーバ１０２から漏れないようにするように構成され得る。例えば一実施形態において、リザーバ１０２がリザーバ１０２の第１の端部（例えば、後端）にて密閉されている。一実施形態において、リザーバ１０２自体がリザーバ１０２の第１の端部にて密閉されるように設計および構成されていてもよい。別の実施形態において、リザーバ１０２はエンドキャップ１０４を用いて密閉され得る。例えば、エンドキャップ１０４はリザーバ１０２の第１の端部と結合することができ、製品がリザーバ１０２の第１の端部から漏れることを防ぐ。様々な実施形態において、エンドキャップ１０４はリザーバ１０２の第１の端部に取り外し可能に取り付けられるか永久に固定され得る。一実施形態において、リザーバ１０２は第１の端部から充填されるように構成され、リザーバ１０２が充填された後にリザーバ１０２にエンドキャップ１０４が結合される。
【００２３】
一実施形態において、塗布装置１００は、リザーバ１０２内に配置された供給器（例えば供給スクリュー１０６等）を含み、リザーバ１０２の第２の端部（例えば、先端）から製品を放出するように構成される。例えば、この供給器は、リザーバ１０２の密封された端部とは反対側の端部を通して製品をリザーバ１０２から放出するように構成され得る。一実施形態において、この供給器は、この供給器を第１の位置からリザーバ１０２内の第２の位置に前進させたときに、リザーバ１０２の第２の端部から製品を放出するように構成される。よって、様々な実施形態において、この供給器はリザーバ１０２内において少なくともある程度の自由な動き有するように構成される。
【００２４】
一実施形態において、図１，３，４，および５に示すように、この供給器は供給スクリュー１０６を備える。例えば、供給スクリュー１０６は螺旋状の複数のブレードを有する螺旋部材（オーガー）を備える。他の実施形態において、この供給器は、ピストン装置、プランジャ装置、または他の機械装置もしくは作動／送出機構でよい。本願において、この供給器は供給スクリュー１０６について記載しているが、上述したように他の供給器の実施形態も本開示の範囲内である。
【００２５】
一実施形態において、この供給スクリュー１０６はリザーバ１０２内に配置され、この供給スクリューが回転するとリザーバ１０２の第２の端部から製品が放出されるように構成される。例えば、ユーザが供給スクリュー１０６を回転させて製品をリザーバ１０２の第２の端部から放出させることができる。一実施形態において、リザーバ１０２の内部は略円筒形状でよく、供給スクリュー１０６の少なくとも一部分がリザーバ１０２内に配置される。図３〜５に示すように、供給スクリュー１０６は略螺旋形状でよく、供給スクリュー１０６の周囲の少なくとも一部分が実質的に平面５０２を備え得る。平面５０２はリザーバ１０２の内面の少なくとも一部分と嵌合するように構成され得る。換言すると、この螺旋状ブレードの少なくともいくつかの外縁が略平坦であり、リザーバ１０２の内面と接触する。このように、この螺旋状ブレードはコンベヤを形成し、供給スクリュー１０６が回転されると第２の端部（例えば、先端部）に向かってかつリザーバ１０２の外側にリザーバ１０２を通して製品を押し出す。複数の螺旋状ブレードの少なくともいくらかの外縁が実質的に平坦であるため、この螺旋状ブレードは概してリザーバ１０２の内面に対してシール（密閉）を形成し、製品がブレードを超してリザーバ１０２の後端部に落ちるのを防ぐか減らす。
【００２６】
一実施態様において、図５に示されるように、供給スクリュー１０６は、シャフト５０４部分および螺旋状スクリューブレード（５０８，５１０，および５１２を含む）部分を含む螺旋部材を備え得る。図５の例示的な態様において示されるように、供給スクリュー１０６のシャフト５０４は例えば、この供給スクリュー１０６を回転させるためのアクチュエータ装置と係合するための一または複数の切り欠き（ノッチ）５０６を含み得る。
【００２７】
図５に示されるように、供給スクリュー１０６は、一端または両端がテーパーしていてもよい。すなわち、供給スクリュー１０６の周囲寸法が供給スクリュー１０６の一端または両端に向かって概して小さくなる。図５において、ブレード部分５０８は供給スクリュー１０６の先端部に向かって（リザーバ１０２の第２の端部に向かって）テーパーしている（例えば、直径が小さくなる）。ブレード部分５１０は螺旋状ブレードのいくつかの巻きが概して同じ直径であるように示されている。様々な実施形態において、ブレード部分５１０は螺旋状ブレードの一もしくは複数の巻きまたは多くの巻きを含み得る。ブレード部分５１０の直径は、リザーバ１０２の内面に実質的に接触するように構成される。ブレード部分５１２は供給スクリュー１０６の後端部に向かって（リザーバ１０２の第１の端部に向かって）テーパーしている（例えば、直径が小さくなる）。別の実施形態では、他の輪郭（プロファイル）やテーパー等が供給スクリュー１０６のために使用され得る。
【００２８】
一実施形態において、図１，３，および４に示すように、塗布装置１００は塗布器１０８を含む。塗布器１０８はリザーバ１０２から放出された製品を塗布するためにリザーバ１０２の第２の端部に結合され得る。塗布器１０８は、粉末または粉末状の製品を表面（例えばユーザの顔の表面）に塗布するために使用される様々な塗布器の任意のものでよい。いくつかの例示的な塗布器１０８が図６に示されている。塗布器１０８はブラシ６０２、綿棒の先端６０４、植毛の先端６０６、スポンジの先端６０８、ローラーボール６１０等を含み得る。係る塗布器１０８は上記のように、様々な固体、半固体、および液体の形態を有する他の製品のためにも使用することができる。一実施形態において、塗布器１０８はリザーバ１０２へのアクセスを有する一または複数の開口部を含む。例えば、この一または複数の開口部はリザーバ１０２から製品を放出するように構成され得る。
【００２９】
一実施形態において、図１〜４に示されるように、塗布装置１００は供給スクリュー１０６に結合されたダイヤル１１０を更に含む。ダイヤル１１０はこのダイヤル１１０が回転されると供給スクリュー１０６を回転させるように構成される。例えば、ユーザがダイヤル１１０を回転させて供給器（例えば、供給スクリュー１０６）をリザーバ１０２内の第１の位置から第２の位置に前進させることができる。一実施形態において、図３および４に示されるように、供給スクリュー１０６の一部分はエンドキャップ１０４を通して突出し、ダイヤル１１０に結合する。いくつかの実施形態において、エンドキャップ１０４を通して突出する供給スクリュー１０６の一部分はシャフト５０４の少なくとも一部分である。いくつかの実施形態において、図１，３，および４に示されるように、塗布装置１００はリザーバ１０２および／またはエンドキャップ１０４を更に密閉するために一または複数のグロメット（鳩目）１１２等を含み得る。
【００３０】
別の実施形態において、塗布装置１００は供給スクリュー１０６に結合された押しボタン装置または機構（図示せず）を含み、この押しボタンが押下されると供給スクリュー１０６を回転させるように構成される。換言すると、押しボタンを押下することにより、供給器をリザーバ１０２内の第１の位置から第２の位置に前進させる。例えば、押しボタン装置または機構は、エンドキャップ１０４に結合されていてもよく、あるいは、ボールペン等において使用されるアクチュエータ機構に類似する、塗布装置１００の別の部分に結合されていてもよい。他の実施形態では、他のアクチュエータ、装置または機構が供給器を前進させる（例えば、供給スクリュー１０６を回転させる）ために使用され得る。
【００３１】
一実施形態において、図１，３，および４に示されるように、塗布装置１００はダイヤル１１０に結合されたクリック止め１１４を含む。クリック止め１１４はダイヤル１１０が回転されるとユーザにフィードバックを提供するように構成される。様々な実施形態において、ユーザへのフィードバックは視覚的フィードバック、触覚的フィードバック、および聴覚的フィードバックのうち少なくとも一つを含み得る。視覚的フィードバックはダイヤル１１０の本体内または本体上で視覚で確認できるものを含み得、ここで、ユーザがクリック止め１１４を見て、印（マーク）その他の参照物（基準物）を見ることができる。この参照（基準）はダイヤル１１０（更には供給スクリュー１０６）がどの程度回転されたかをユーザに示すことができる。
【００３２】
触覚的フィードバックは、ダイヤル１１０が回転されたことをユーザが感じることができる触覚的「クリック」からなり得る。一実施形態において、ユーザはダイヤル１１０がプリセット量（例えば１／８回転）に回転されたときにクリックを感じる。このように、ダイヤル１１０およびクリック止め１１４は供給スクリュー１０６の回転を制御するように作動する。例えば、ユーザは使用中、このユーザがどのくらい供給スクリュー１０６を回転したかについてのフィードバックを得る。これは、ダイヤル１１０の一または複数のクリックを基準として製品の量を計ることによって、ユーザがリザーバ１０２から放出される製品の量を制御するのに役立つことができる。
【００３３】
聴覚的フィードバックは、ダイヤル１１０が回転されるときにユーザに聞こえる可聴の「クリック」を含み得る。一実施形態において、ユーザはダイヤル１１０がプリセット量（例えば１／８回転）に回転されたときにクリックを感じる。様々な実施形態において、ユーザは視覚的フィードバック、触覚的フィードバック、および聴覚的フィードバックの様々な組み合わせを受け得る。別の実施形態において、ユーザは代替的にあるいは付加的にダイヤル１１０およびクリック止め１１４に基づく他のフィードバックを受けることができる。
【００３４】
一実施形態において、クリック止め１１４はバネ要素１１６によってダイヤル１１０の面に対して押圧される。バネ要素１１６は、ダイヤル１１０の面に対してクリック止め１１４を保持し、これはクリック止め１１４からの所望のフィードバックを生成するのに十分なように構成され、かつダイヤル１１０およびクリック止め１１４が互いに対して動くことができるように構成されている。一実施形態において、図７に示されるように、クリック止め１１４は、ダイヤル１１０に面するクリック止め１１４の少なくとも表面に一または複数の突起７０２を有する。更に、ダイヤル１１０は、クリック止め１１４に面するダイヤル１１０の表面に一または複数のくぼみ７０４を有する。突起７０２はダイヤル１１０の面でくぼみ７０４と係合するように構成されることができ、これによりダイヤル１１０がクリック止め１１４に対して回転されるときに「クリック」フィードバックが生成される。突起７０２およびくぼみ７０４が図７に示されるように略くさび形であり得、あるいは係合可能であり所望の「クリック」フィードバックを生成することができる任意の他の形状（例えば、半球形状、多角形など）でもよい。
【００３５】
ダイヤル１１０および／またはクリック止め１１４が含まれる場合、これらは、供給スクリュー１０６のシャフト５０４の切り欠き５０６の一または複数と係合するように構成されたタブ（耳）を含み得る。図７には（クリック止め１１４に）例示的なタブ７０６および（ダイヤル１１０に）７０８が示される。タブ７０６および／または７０８はそれぞれクリック止め１１４および／またはダイヤル１１０に含まれることができ、これにより供給スクリュー１０６のシャフト５０４と、クリック止め１１４およびダイヤル１１０のうち少なくとも一つが共に回転する。このように、ユーザは例えばダイヤル１１０を回転させて供給スクリュー１０６を回転させる。図７において、タブ７０６および７０８は略矩形であるように示される。これは図５の切り欠き５０６の描写と適合する。別の実施形態において、タブ７０６および７０８ならびに切り欠き５０６は、互いに係合し、かつクリック止め１１４および／またはダイヤル１１０を供給スクリュー１０６のシャフト５０４に確実に結合することができる任意の形状を有することができる。
【００３６】
一実施形態において、図１〜４に示されるように、塗布装置は、塗布器１０８をリザーバ１０２の第２の端部に結合するように構成された塗布器保持具１１８を有する。例示的な塗布器保持具１１８が図８に示されている。図８に示されるように、塗布器保持具１１８は塗布器１０８を受けるために合わせ面８０２を有する。様々な態様において、塗布器１０８は塗布器保持具１１８内に押し込まれ、密閉されるか、接着されるか、ねじ止めされるかなどされ、これにより塗布器１０８が塗布器保持具１１８に永久に固定されるようにする。他の実施形態において、塗布器１０８は、この塗布器１０８が塗布器保持具１１８から取り外し可能となるように、塗布器保持具１１８に押し込まれて嵌合され、塗布器１０８が塗布器保持具１１８から取り外し可能とされる。
【００３７】
いくつかの実施形態において、図８に示されるように、塗布器保持具１１８はこの塗布器保持具１１８をリザーバ１０２に結合するために外部合わせ面８０４を有し得る。例えば、外部合わせ面８０４は塗布器保持具１１８をリザーバ１０２に結合するためにネジやリブ等を有し得る。様々な実施形態において、塗布器保持具１１８はリザーバ１０２からの製品を吐出するためにリザーバ１０２からの出口８０６を提供する。一実施形態において、塗布器保持具１１８は略テーパー状円錐構成を有する内面８０８を有する。よって、この塗布器保持具１１８は送出管やノズル等と呼ばれることもあり得る。
【００３８】
一実施形態において、図１〜４に示すように、塗布装置１００は、塗布器１０８を使用していないときに塗布器１０８を閉じ込めるように構成された取り外し可能な保護カバー１２０を有する。一般に、この取り外し可能な保護カバー１２０は、塗布装置１００を使用する前に取り外され、終わると元に戻される。別の実施形態では、塗布器１０８は塗布装置１００を使用するために、取り外し可能な保護カバー１２０の開口部を通して突出し、終了すると引っ込むことができる。
【００３９】
まとめ
本開示の態様は構造的特徴および／または方法論的行為に特筆して記載されてきたが、本発明の態様はこれらの特筆した特徴または行為に必ずしも限定されないことが理解されよう。むしろ、これらの特筆した特徴または行為は本発明を実施する代表的な形態として開示されるものである。
【図１】
2014532486.tif 000003
【図２】
2014532486.tif 000004
【図３】
2014532486.tif 000005
【図４（Ａ）】
2014532486.tif 000006
【図４（Ｂ）】
2014532486.tif 000007
【図５】
2014532486.tif 000008
【図６】
2014532486.tif 000009
【図７】
2014532486.tif 000010
【図８】
2014532486.tif 000011
【国際調査報告】
2014532486.tif 000012
2014532486.tif 000013
2014532486.tif 000014